(57)【特許請求の範囲】
【請求項１】
離れた位置に画像を投写するプロジェクタであって、
投写領域に存在する人を検知する検知部と、前記検知部による人の検知に応じて眩惑防止のための処理を行う眩惑防止手段と、前記眩惑防止手段による処理を停止して通常画像の投写を再開させる再開スイッチと、当該プロジェクタに対する一部の操作を無効にするチャイルドロック手段とを備え、
前記眩惑防止手段は、前記チャイルドロック手段が実行された場合に実行され、前記検知部による人の検知があった場合に、通常画像の投写に代えて、前記通常画像の投写が停止したことを示すミュート画像を投写するとともに、前記再開スイッチの操作を促す表示に切替えることを特徴とするプロジェクタ。
【請求項２】
前記眩惑防止手段は、前記ミュート画像として、投写領域の所定の場所に前記通常画像の投写を停止したことを示す画像を投写するとともに、この画像以外の部分への投写を減光することを特徴とする請求項１記載のプロジェクタ。
【請求項３】
前記眩惑防止手段は、前記ミュート画像として、前記再開スイッチの操作を促す画像を投写することを特徴とする請求項１又は２記載のプロジェクタ。
【請求項４】
前記眩惑防止手段は、前記再開スイッチの操作を促す表示として、前記再開スイッチ自体又は前記再開スイッチの近傍に設けられた発光体を、点滅又は点灯させることを特徴とする請求項１ないし３いずれか１項記載のプロジェクタ。
【請求項５】
記憶媒体に記憶された画像データを前記通常画像として再生する画像再生装置を一体的に具備し、前記眩惑防止手段を実行する際に前記画像再生装置を停止し、前記再開スイッチのオン操作があった場合には前記眩惑防止手段による処理を停止するとともに前記画像再生装置による前記画像データの再生を再開するようにしたことを特徴とする請求項１ないし４いずれか１項記載のプロジェクタ。
【請求項６】
前記再開スイッチのオン操作があった場合に、前記眩惑防止手段による処理を停止するとともに、前記画像再生装置による前記画像データの再生を、途中停止した時点、又は途中停止した時点よりも所定時間前の時点から再開するようにしたことを特徴とする請求項５記載のプロジェクタ。
【請求項７】
前記画像再生装置がＤＶＤプレーヤーであることを特徴とする請求項５又は６記載のプロジェクタ。
【発明の詳細な説明】
【技術分野】
【０００１】
本発明は、スクリーンなどに画像を投写するプロジェクタに関するものである。
【背景技術】
【０００２】
従来、この種の発明には、例えば特許文献１に記載されるもののように、投写レンズを
覗き込んだ人が眩惑を生じるようなことを防ぐ眩惑防止機能を具備したものがある。この
眩惑防止機能は、投写領域に存在する物体を赤外線センサによって検知した場合に、通常
画像を投写する光の強度を低減するものである。
また、前記眩惑防止機能の他例として、特許文献２に記載された発明では、投写領域に
存在する物体をＣＣＤカメラにより検出し、その検出された映像のパターンに応じて、投
写光の減光、投写光の消灯、映像ミュート、装置電源の切断等を行うようにしている。
【０００３】
しかしながら、前記いずれの従来技術においても、前記眩惑防止機能が作動した場合に
、突然、通常画像を投写する光が減光又は消灯するため、プロジェクタの操作者や視聴者
などを戸惑わせてしまうおそれがある。すなわち、操作者や視聴者などが、どのような行
為や操作をしたらよいのか、戸惑ってしまう場合がある。
【特許文献１】特開２００５−２５８２９２号公報
【特許文献２】特開２００７−２３３０７６号公報
【発明の開示】
【発明が解決しようとする課題】
【０００４】
本発明は上記従来事情に鑑みてなされたものであり、その課題とするところは、眩惑防
止機能の作動によって操作者や視聴者などが戸惑うようなことを軽減することができるプ
ロジェクタを提供することにある。
【課題を解決するための手段】
【０００５】
上記課題を解決するための技術的手段は、離れた位置に画像を投写するプロジェクタで
あって、投写領域に存在する人を検知する検知部と、前記検知部による人の検知に応じて
眩惑防止処理を行う眩惑防止手段と、前記眩惑防止手段による処理を停止して通常画像の
投写を再開させる再開スイッチとを備え、前記眩惑防止手段は、前記検知部による人の検
知があった場合に、通常画像の投写に代えて、前記通常画像の投写を停止したことを示す
ミュート画像を投写するとともに、前記再開スイッチの操作を促す表示に切替えることを
特徴とする。
この技術的手段によれば、投写領域に存在する人を検知部によって検知すると、通常画
像の表示に替えて、通常画像の投写を停止したことを示すミュート画像が表示されるとと
もに、再開スイッチの操作を促す表示に切替えられる。したがって、操作者や視聴者など
は、戸惑いが少なく、必要に応じた再開スイッチの操作によって、通常画像の投写を再開
させることができる。
【０００６】
更なる技術的手段では、前記眩惑防止手段は、前記ミュート画像として、投写領域の所
定の場所に前記通常画像の投写を停止したことを示す画像を投写するとともに、この画像
以外の部分への投写を減光することを特徴とする。
この技術的手段によれば、眩惑防止手段が機能した際に、投写領域の所定の場所に通常
画像の投写を停止したことを示す画像が表示され、他の部分の表示が減光される。したが
って、投射領域に侵入する者に対する眩惑軽減効果を向上することができる。
【０００７】
更なる技術的手段では、前記眩惑防止手段は、前記ミュート画像として、前記再開スイ
ッチの操作を促す画像を投写することを特徴とする。
この技術的手段によれば、眩惑防止手段が実行された際に、再開スイッチの操作指示を
促す画像が表示されるため、この画像の表示によって、操作者や視聴者などの戸惑いを効
果的に軽減することができる。すなわち、操作者や視聴者などは、ミュート画像を見るこ
とで、戸惑うことなく、必要に応じて再開スイッチの操作を行うことができる。
【０００８】
更なる技術的手段では、前記眩惑防止手段は、前記再開スイッチの操作を促す表示とし
て、前記再開スイッチ自体又は前記再開スイッチの近傍に設けられた発光体を、点滅又は
点灯させることを特徴とする。
この技術的手段によれば、眩惑防止手段が実行された際に、発光体の点滅又は点灯によ
って、操作者や視聴者などに対して再開スイッチの操作を促し、操作者や視聴者などの戸
惑いを効果的に軽減できる。
【０００９】
更なる技術的手段では、特定の操作があった場合に、当該プロジェクタに対する一部の
操作を無効にするチャイルドロック手段を備え、前記チャイルドロック手段が実行された
場合のみ、前記眩惑防止手段を実行するようにしたことを特徴とする。
この技術的手段によれば、例えば視聴者に子供等が多い場合には、チャイルドロック手
段を実行すれば、子供等によって当該プロジェクタが悪戯に操作されるのを防ぐことがで
きる上、眩惑防止手段も実行されるため、子供等が投写レンズを除き込んで眩惑を生じる
ようなことを防ぐことができる。
【００１０】
更なる技術的手段では、記憶媒体に記憶された画像データを前記通常画像として再生す
る画像再生装置を一体的に具備し、前記眩惑防止手段を実行する際に前記画像再生装置を
停止し、前記再開スイッチのオン操作があった場合には前記眩惑防止手段による処理を停
止するとともに前記画像再生装置による前記画像データの再生を再開するようにしたこと
を特徴とする。
この技術的手段によれば、眩惑防止手段と画像再生装置とを連動させて、眩惑防止手段
の実行に伴う画像再生装置の停止、及び再開スイッチのオン操作に伴う画像再生装置の再
生再開を速やかに行うことができる。
【００１１】
更なる技術的手段では、前記再開スイッチのオン操作があった場合に、前記眩惑防止手
段による処理を停止するとともに、前記画像再生装置による前記画像データの再生を、途
中停止した時点、又は途中停止した時点よりも所定時間前の時点から、再開するようにし
たことを特徴とする。
この技術的手段によれば、眩惑防止手段と画像再生装置とを連動させてオンオフするこ
とができる上、画像再生装置による再生を、途中停止した時点の画像、又は途中停止した
時点よりも所定時間前の時点の画像から再開することができ、ひいては、通常画像の投写
が停止することによる操作者や視聴者などのストレスを軽減することができる。
【００１２】
更なる技術的手段では、前記画像再生装置がＤＶＤプレーヤーであることを特徴とする
。
この技術的手段によれば、画像再生装置を生産性の良好な具体的態様とすることができ
る。
【発明を実施するための最良の形態】
【００１３】
以下、本発明の実施の形態を図面に基づいて説明する。
【００１４】
図１は、プロジェクタ１の外観を示している。このプロジェクタ１は、画像再生装置１
ａと、画像再生装置１ａの上面に回動可能に載置し一体化された本体部１ｂとから構成さ
れる。
画像再生装置１ａは、ＤＶＤ４に記録された画像データを読み込んで再生するいわゆる
ＤＶＤレコーダである。
本体部１ｂは、投写光学系３１や、投写領域に存在する人を送信用素子４１及び受信用
素子４２によって検知する検知部４０、眩惑防止手段による処理を停止して通常画像の投
写を再開させる再開スイッチ５１、再開スイッチ５１以外の操作スイッチ５２等が設けら
れている。
なお、投写領域とは、プロジェクタ１の投写光学系３１から投写スクリーンまでの空間
において投写光が投写されている領域を意味する。
【００１５】
図２は、プロジェクタ１の構成を示すブロック図である。
プロジェクタ１は、ＣＰＵ１０と、表示画像信号処理部２０と、表示画像一時記憶部２
１と、光変調素子駆動部２２と、ミュート画像記憶部２３と、画像再生装置１ａと、画像
投写部３０と、検知部４０と、センサ制御部４３と、制御信号処理部５０等とを備え、画
像再生装置１ａや外部のパーソナルコンピュータ２等から入力される画像を、離れた位置
にあるスクリーン３へ投写する。
【００１６】
更に、プロジェクタ１は、ＣＰＵ１０を機能させるプログラムとして、特定の操作があ
った場合に当該プロジェクタ１に対する一部の操作を無効にするチャイルドロック手段と
、検知部４０による検知信号に応じて眩惑防止のための処理を行う眩惑防止手段とを具備
している。
【００１７】
ＣＰＵ１０は、ＣＰＵバス１１を介して、表示画像信号処理部２０、センサ制御部４３
、制御信号処理部５０等を制御して、プロジェクタ１の動作を統括する。
【００１８】
表示画像信号処理部２０は、パーソナルコンピュータ２又は画像再生装置１ａから受信
した通常画像データに適宜画像処理を施し、当該画像データに基づく制御信号を、光変調
素子駆動部２２へ供給する。表示画像一時記憶部２１は、前記画像処理のために、画像デ
ータを一時的に書き込んだり読み出したりするメモリである。
また、表示画像信号処理部２０は検知部４０により投写領域内に人Ｐを感知した場合に
は、前記通常画像データに替えて、ミュート画像記憶部２３からミュート画像Ｍを読み込
み、当該ミュート画像Ｍに基づく制御信号を、光変調素子駆動部２２へ供給する。なお、
光変調装置は、透過型、反射型など何でも良く、その種類は問わない。
【００１９】
画像投写部３０は、投写光学系３１、光変調素子３２、照明光学系３３等を具備してな
り、表示画像信号処理部２０からの制御信号により光変調素子駆動部２２を駆動させると
ともに、照明光学系３３から射出される光を光変調素子３２と投写光学系３１に順次通過
させる。よって、照明光学系３３から射出される光は、光変調素子３２を通過した際に変
調され、投写光学系３１によって拡大されてスクリーン３上へ投写される。
【００２０】
図３は、スクリーン３に投写されたミュート画像Ｍの一例を示している。このミュート
画像Ｍは、投写領域の上部側に通常画像の投写が停止したことを示すとともに再開スイッ
チ５１の操作を促す画像として、再開スイッチ画像ｍ１を投写し、この再開スイッチ画像
ｍ１以外の領域（図３によればハッチング部分）を減光領域ｍ２としている。
再開スイッチ画像ｍ１は、図示された好ましい一例によれば、再開スイッチ５１の外観
を示す画像であり、略三角形状のプレイスイッチを示す図形としている。
この再開スイッチ画像ｍ１の他例としては、一時停止スイッチ（ポーズボタン）を示す
図形や、その他の図形、模様、文字等とすることも可能である。
減光領域ｍ２は、光変調素子３２によって再開スイッチ画像ｍ１以外の部分を黒色表示
した領域とすればよい。この減光領域ｍ２の他例としては、光量の比較的少ない図柄模様
等としてもよい。
【００２１】
前記ミュート画像Ｍによれば、上部側の再開スイッチ画像ｍ１以外の投写領域が減光領
域ｍ２となるため、特に子供等の背の低い者に対する眩惑を防ぐことができる。
なお、視聴者が大人のみの場合には、ミュート画像Ｍとして通常画像の投射を停止した
ことを示す画像（図示例によれば再開スイッチ画像ｍ１）を投写領域の上部側に配置した
のでは逆に眩惑不都合が生じる場合もある。よって、通常画像の投射を停止したことを示
す画像（図示例によれば再開スイッチ画像ｍ１）の投写位置を、例えばメニュー画面によ
って予め設定できるようにしてもよい。例えば、図４に示すように、投写画面を９分割に
し、通常画像の投射を停止したことを示す画像（図示例によれば再開スイッチ画像ｍ１）
を、前記９分割された画面のうちのどの画面（投写領域の上下左右）に投写するのかを設
定できるようにしてもよい。これにより、使用者の状況に応じて眩惑を防ぐことができ、
利便性を更に高めることができる。
【００２２】
また、検知部４０は、投写光学系３１による投写領域に存在する人を検知可能な構成で
あればよく、例えば、送信用素子４１から超音波信号を送信し、この超音波信号が物体に
当たって反射した際の反射波を受信用素子４２によって受信する超音波センサが用いられ
る。
センサ制御部４３は、検知部４０に電源を供給するとともに、検知部４０による検知信
号を取り込む。
【００２３】
制御信号処理部５０は、再開スイッチ５１や、操作スイッチ５２から入力された信号に
応じてＣＰＵ１０を機能させたり、後述する再開スイッチ５１の発光体に対し電源を供給
したりする。
【００２４】
再開スイッチ５１は、制御信号処理部５０に対しオンオフ信号を送信するとともに、オ
ン操作された際に点滅又は点灯する発光体（例えば発光ダイオード等）を一体的に具備し
たスイッチである。
操作スイッチ５２は、例えば、電源スイッチや、プレイスイッチ、停止スイッチ、一時
停止スイッチ等、当該プロジェクタ１の基本的な操作を行うためのスイッチである。
なお、再開スイッチ５１の機能を、操作スイッチ５２の一部のスイッチに兼ね備えるこ
とで、図１の再開スイッチ５１を省くことも可能である。この場合、前記一部のスイッチ
は、通常の投写中に使用することのないスイッチ（例えばプレイスイッチ等）とするのが
好ましい。
【００２５】
また、チャイルドロック手段は、図示しない記憶装置に記憶されてＣＰＵ１０を機能さ
せるプログラムであり、操作スイッチ５２に対してあらかじめ定められた特定の操作があ
った場合に、プロジェクタ１に対する一部の操作を無効にするとともに、後述する眩惑防
止手段を実行する。
前記特定の操作とは、例えば、電源スイッチを所定時間長押しする操作や、二つ以上の
スイッチの同時操作等とすればよい。また、他例としては、専用のチャイルドロックスイ
ッチを具備し、このチャイルドロックスイッチが操作されることにより前記チャイルドロ
ック手段が実行されるようにしてもよい。
【００２６】
眩惑防止手段は、図示しない記憶装置に記憶されてＣＰＵ１０を機能させるプログラム
であり、検知部４０による検知信号があった場合に、通常画像の投写に替えて、通常画像
の投写を停止したことを示すミュート画像Ｍを投写するとともに、再開スイッチ５１の操
作指示を促す表示に切替える。
【００２７】
図６は、眩惑防止手段による処理を説明するフローチャートである。
まず、ステップ１では、通常画像が投写中であるか否かが判断され、通常画像が投写中
であれば次のステップ２へ処理が進められ、そうでなければ当該フローチャートを終了す
る。
すなわち、眩惑防止手段は通常画像の投写中のみに実行される。ここで、通常画像とは
、外付け・内蔵問わずパーソナルコンピュータや画像再生装置１ａ等から取り込まれた画
像データに基づき、プロジェクタ１が投写した画像を意味し、動画である場合と静止画で
ある場合を含む。この通常画像にミュート画像は含まれない。
【００２８】
次に、ステップ２では、操作スイッチ５２に対する特定の操作によってチャイルドロッ
ク手段が実行中にあるか否かが判断され、実行中であれば次のステップ３へ処理を進め、
そうでなければ当該ステップ２を繰り返してチャイルドロック手段が実行されるのを待つ
（チャイルドロックされるまで待ち状態となる）。すなわち、操作スイッチ５２に対する
特定の操作によってチャイルドロック手段が実行された場合のみ眩惑防止手段が実行され
ることになる。
【００２９】
なお、フローチャートによる図示を省略するが、チャイルドロック手段が実行された場
合には、例えば停止スイッチに対する操作が無効になるなど、プロジェクタ１に対する一
部の操作が無効にされる。
【００３０】
ステップ３では、検知部４０による検知信号の有無を判断し、検知信号があった場合、
すなわち投写領域に人の存在を検知した場合には次のステップ４へ処理を進め、そうでな
ければ当該ステップ３の処理を繰り返す（人を検知するまで検知待ち状態となる）。
【００３１】
ステップ４では、通常画像の投写を停止する。例えば、プロジェクタ１に内蔵された画
像再生装置１ａによる通常画像であれば、画像再生装置１ａを一時停止する。パーソナル
コンピュータ２や外付け画像再生装置等の外部機器による通常画像であれば、前記外部機
器による画像データの出力は継続されるが、当該プロジェクタ１がその画像データを投写
しない状態にする。
【００３２】
ステップ５では、ミュート画像記憶部２３から表示画像信号処理部２０にミュート画像
Ｍの画像データを呼び込み、この画像データに基づく制御信号を光変調素子駆動部２２へ
供給する。したがって、スクリーン３には、通常画像に替えて図３に例示するミュート画
像Ｍが表示される。
【００３３】
ステップ６では、再開スイッチ５１の操作を促す表示に切替える。より具体的に説明す
れば、再開スイッチ５１に内蔵される発光体を点灯又は点滅する。
【００３４】
したがって、操作者や視聴者などは、スクリーン３に表示される再開スイッチ画像ｍ１
と、再開スイッチ５１の発光との双方により、通常画像の再開のためのスイッチが再開ス
イッチ５１であることを認識する。
【００３５】
次に、ステップ７では、再開スイッチ５１がオン操作されたか否かが判断され、オン操
作された場合にはステップ８へ処理を進め、そうでなければ再開スイッチ５１に対するオ
ン操作待ち状態となる。
【００３６】
ステップ８では、ミュート画像Ｍの投写を停止する。
ステップ９では、再開スイッチ５１の表示を発光体の消灯した元の状態に戻す。
【００３７】
ステップ１０では、プロジェクタ１に内蔵された画像再生装置１ａの一時停止状態が解
除される。したがって、画像再生装置１ａによる画像データの再生が、前記ステップ４で
一時停止した時点から再開する。そして、処理はステップ２へ戻される。
【００３８】
（変形例１）
上記一実施例によれば、再開スイッチ５１の操作指示を促す表示として、再開スイッチ
５１自体に設けられた発光体を点滅又は点灯するようにしたが、再開スイッチ５１の近傍
に発光体を設け、この発光体を点滅又は点灯するようにしてもよい。
【００３９】
（変形例２）
上記一実施例によれば、検知部４０は、投写領域における比較的広い範囲に存在する人
を検知可能なように超音波センサとしたが、感知媒体に赤外線を用いる赤外線センサや、
ＣＣＤカメラにより投写領域に存在する人を撮像し感知するようにした構成等とすること
も可能である。
【００４０】
（変形例３）
上記一実施例によれば、ミュート画像Ｍの好ましい一例として、投写領域の上部側に再
開スイッチ５１の画像を投写するようにしたが、このミュート画像Ｍは、通常画像の投写
が停止したことを示すように、適宜デザインされた画像とすることが可能である。
【００４１】
（変形例４）
上記一実施例によれば、一体的に具備される画像再生装置の一例としてＤＶＤプレーヤ
ーを挙げたが、この画像再生装置の他例としては、ビデオレコーダや、レーザーディスク
プレーヤー、ＤＶＤ以外の記憶媒体（例えばＵＳＢメモリーやＳＤカード等）に記憶され
た画像データを再生する装置などが挙げられる。
【００４２】
（変形例５）
上記一実施例によれば、ステップ１０において画像再生装置１ａによる再生を途中停止
した時点から再開するようにしたが、画像再生装置１ａによる再生を途中停止した時点よ
りも所定時間前の時点から再開するようにしてもよい。
【００４３】
（変形例６）
上記一実施例によれば、ステップ４においてパーソナルコンピュータ２などの外部機器
からの画像データの出力が継続されるものとしたが、当該プロジェクタ１から出力される
制御信号により前記外部機器を制御することで、ステップ４において前記外部機器による
画像データの出力を途中停止し、ステップ１０では途中停止した時点又は途中停止した時
点よりも所定時間前の時点から画像データの出力が再開されるようにすることも可能であ
る。
【００４４】
（変形例７）
上記一実施例によれば、再開スイッチ画像ｍ１として略三角形状のプレイスイッチを示
す図形を例示したが、再開スイッチ画像ｍ１は、図５に示すように、プレイスイッチと一
時停止スイッチとを併記して示す図形としてもよく、この場合、プロジェクタ１の再開ス
イッチ５１も同様にプレイスイッチと一時停止スイッチとを併記して示す図形とする。
また、図４に示すミュート画像Ｍの再開スイッチ画像ｍ１も、前記同様に、プレイスイ
ッチと一時停止スイッチとを併記して示す図形とすることが可能である。
なお、再開スイッチ画像ｍ１は、図示例に限定されず、他の画像や、文字、模様等とす
ることも可能である。
【図面の簡単な説明】
【００４５】
【図１】本発明に係るプロジェクタの一例を示す斜視図。
【図２】同プロジェクタの電気回路上の構成を示すブロック図。
【図３】ミュート画像の一例を示す図。
【図４】ミュート画像の他例を示す図。
【図５】ミュート画像の他例を示す図。
【図６】眩惑防止手段による処理の一例を示すフローチャート。
【符号の説明】
【００４６】
１：プロジェクタ、１ａ：画像再生装置、１ｂ：本体部、４０：検知部、５１：再開ス
イッチ、５２：操作スイッチ、Ｍ：ミュート画像、ｍ１：再開スイッチ画像、ｍ２：減光
領域
【図１】
0005343407.tif 000002
【図２】
0005343407.tif 000003
【図３】
0005343407.tif 000004
【図４】
0005343407.tif 000005
【図５】
0005343407.tif 000006
【図６】
0005343407.tif 000007